(57)【要約】【課題】シート一枚からなる使い捨て可能で、安価で組立容易な組立式簡易椅子を提供すること。【解決手段】互いに台座板（１１１、１４１）の内面が向き合うようにＮ字状に折り畳まれたブランクシートを起こして、第２壁板（１２）と第３壁板（１３）の境界の折り曲げ線と、第５壁板（１５）と第６壁板（１６）の境界の折り曲げ線とを接触させることにより生じた二つの三角柱筒の上面に、横方向の折り曲げ線に沿って折り曲げた台座板（１１１、１４１）を被せるとともに、台座板に連設された差し込み片（１１２、１４２）に設けられた差し込み片スリット（ｂ、ｂ）を壁板スリット（ａ、ａ）に差し込み係合させる。【選択図】図２
2006198289.tif 000002
【特許請求の範囲】
【請求項１】
一枚のダンボールシートを組み立ててなる簡易椅子であって、
一辺が略同じ大きさの方形の第１壁板、第２壁板、第３壁板、第４壁板、第５壁板、第６壁板がそれぞれ折り曲げ線を介して順次連設され、第６壁板の端縁には第１壁板の内面と接着する糊代片が折り曲げ線を介して形成され、
前記第１壁板と第４壁板の上端縁には、それそれ折り曲げ線を介して台座板、差し込み片が順次連設され、
前記第２壁板と第３壁板、及び第５壁板と第６壁板の境界の上端縁には、それぞれ前記差し込み片を差し込むための壁板スリットが設けられ、
前記差し込み片の先端縁中央には、壁板を差し込むための差し込み片スリットが設けられた構成からなるブランクシートの、
第１壁板と第２壁板の境界の折り曲げ線及び第４壁板と第５壁板の境界の折り曲げ線をそれそれ折り曲げて、糊代片の外面を第１壁板の裏面に接着させ、二つ折りされたブランクシートを、重ね合わせたまま互いの台座板の内面が向き合うようにＮ字状に折り畳み、
折り畳んだブランクシートを起こして第２壁板と第３壁板の境界の折り曲げ線と、第５壁板と第６壁板の境界の折り曲げ線とを接触させることにより形成される二つの三角柱筒の上面に、折り曲げ線に沿って折り曲げた台座板を被せるとともに、台座板に連設された差し込み片に設けられた差し込み片スリットを、壁板スリットに差し込み係合可能としたことを特徴とする、組立式簡易椅子。
【請求項２】
前記台座板の差し込み片寄り近傍に、手提げ孔が穿設されていることを特徴とする、請求項１記載の組立式簡易椅子。
【発明の詳細な説明】
【技術分野】
【０００１】
本発明は、ダンボールシート等を用いて作製した組立式簡易椅子に関するものであり、特には、携帯可能な紙製組立式簡易椅子に関する。
【背景技術】
【０００２】
従来、椅子のないイベント会場においては、客席用として金属製等のパイプ椅子を用意するなどしている場合があるが、準備と時間と労力を要し、コストもかかるという問題があった。
【０００３】
一方、特に屋外開催のイベント会場に関しては、参加者が各自ビニールシートや簡易のパイプ式椅子等を持参している場合が多く、参加者にとってはその分、荷物が増えたりして不便であった。
そこで、使い捨て可能で、安価な材料を素材とした短期間の使用に適した組立式の簡易椅子の提供が求められていた。
【０００４】
これらの要望に適う簡易椅子の一例として、ダンボールシートを素材とした組立式の簡易椅子がある（例えば、特許文献１、特許文献２参照）。
【０００５】
上記先行技術文献を示す。  
【特許文献１】特開平１１−１８７９５１号公報
【特許文献２】特開２００４−８９４２２号公報。
【０００６】
しかし、前者はシート一枚を組み立てて形成するのではなく、耐圧固定板等の別部材を必要とし、また、後者はダンボールシートの他にウレタン樹脂板等の付属品を必要とし組立作業も煩雑である等の問題がある。
【発明の開示】
【発明が解決しようとする課題】
【０００７】
本発明は、ダンボールシート等を組み立てて形成される簡易椅子に関する以上のような問題に鑑みてなされたもので、シート一枚からなる使い捨て可能で、安価で、かつ、組立容易な、携帯用の組立式の簡易椅子を提供することを課題とする。
【課題を解決するための手段】
【０００８】
本発明の請求項１の発明は、一枚のダンボールシートを組み立ててなる簡易椅子であって、一辺が略同じ大きさの方形の第１壁板、第２壁板、第３壁板、第４壁板、第５壁板、第６壁板がそれぞれ折り曲げ線を介して順次連設され、第６壁板の端縁には第１壁板の内面と接着する糊代片が折り曲げ線を介して形成され、前記第１壁板と第４壁板の上端縁にはそれぞれ折り曲げ線を介して台座板、差し込み片が順次連設され、前記第２壁板と第３壁板、及び第５壁板と第６壁板の境界の上端縁には、それぞれ前記差し込み片を差し込むための壁板スリットが設けられ、前記差し込み片の先端縁中央には、壁板を差し込むための差し込み片スリットが設けられた構成からなるブランクシートの、第１壁板と第２壁板の境界の折り曲げ線及び第４壁板と第５壁板の境界の折り曲げ線をそれぞれ折り曲げて、糊代片の外面を第１壁板の裏面に接着させ、二つ折りされたブランクシートを、重ね合わせたまま互いに台座板の内面が向き合うようにＮ字状に折り畳み、折り畳んだブランクシートを起こして第２壁板と第３壁板の境界の折り曲げ線と、第５壁板と第６壁板の境界の
折り曲げ線とを接触させることにより形成される二つの三角柱筒の上面に、折り曲げ線に沿って折り曲げた台座板を被せるとともに、台座板に連設された差し込み片に設けられた差し込み片スリットを、壁板スリットに差し込み係合可能としたことを特徴とする、組立式簡易椅子である。
【０００９】
このように請求項１記載の発明によれば、一辺が略同じ大きさの方形の第１壁板、第２壁板、第３壁板、第４壁板、第５壁板、第６壁板がそれぞれ折り曲げ線を介して順次連設され、第６壁板の端縁には第１壁板の内面と接着する糊代片が折り曲げ線を介して形成され、前記第１壁板と第４壁板の上端縁にはそれぞれの折り曲げ線を介して台座板、差し込み片が順次連設され、前記第２壁板と第３壁板、及び第５壁板と第６壁板の境界の上端縁には、それぞれ前記差し込み片を差し込むための壁板スリットが設けられ、前記差し込み片の先端縁中央には、壁板を差し込むための差し込み片スリットが設けられた構成からなるブランクシートの、第１壁板と第２壁板の境界の折り曲げ線及び第４壁板と第５壁板の境界の折り曲げ線をそれぞれ折り曲げて、糊代片の外面を第１壁板の裏面に接着させ、二つ折りされたブランクシートを、重ね合わせたまま互いに台座板の内面が向き合うようにＮ字状に折り畳み、折り畳んだブランクシートを起こして第２壁板と第３壁板の境界の折り曲げ線と、第５壁板と第６壁板の境界の折り曲げ線とを接触させることにより形成される二つの三角柱筒の上面に、折り曲げ線に沿って折り曲げた台座板を被せるとともに、台座板に連設された差し込み片に設けられた差し込み片スリットを、壁板スリットに差し込み係合可能としたので、折り畳んで保管することができるし、組み上げると、差し込み片を各壁板の上端縁にしっかりと差し込むことができる。隣り合う２枚の台座板は、第２壁板、第３壁板並びに第４壁板、第５壁板によりＸ字状に強固に補強されている。
【００１０】
また、係合を解くことにより簡単に折り畳むことができ、持ち運びや再利用する際にも便利である。さらには，第１壁板と第４壁板の一辺が同じ大きさの方形とし、第２壁板、第３壁板、第５壁板、第６壁板はそれらよりも一辺の大きさが小さい方形にして形成される方が折り畳み作業が容易となり、より好ましい。
【００１１】
また、請求項２の発明は、請求項１の発明において、前記台座板の差し込み片寄り近傍に手提げ孔が穿設されていることを特徴とする、組立式簡易椅子である。
【００１２】
このように請求項２記載の発明によれば、台座板の差し込み片寄り近傍に手提げ孔が穿設されているので、簡易椅子を組立前に持ち運びする際に便利である。
【発明の効果】
【００１３】
このように本発明の組立式簡易椅子は、一枚のダンボールシートを折り曲げ、差し込み形成するので、折り畳み可能で、且つ、持ち運びが容易で安価な組立式簡易椅子である。また、簡単に廃棄焼却が可能である。
【発明を実施するための最良の形態】
【００１４】
本発明を一実施形態に基づいて以下に詳細に説明する。
【００１５】
図１は、本発明の組立式簡易椅子を組み立てる前のブランクシート（１０）の一実施例を示す、展開説明図である。
【００１６】
第１壁板（１１）、第２壁板（１２）、第３壁板（１３）、第４壁板（１４）、第５壁板（１５）、第６壁板（１６）がそれぞれ折り曲げ線を介して順次連設されている。各壁板の一辺の長さは略同じに統一されている。
【００１７】
第６壁板（１６）の端縁には第１壁板（１１）の内面と接着される糊代片（１７）が折
り曲げ線を介して連設されている。
【００１８】
第１壁板（１１）の上端縁には、横方向の折り曲げ線を介して台座板（１１１）と差し込み片（１１２）がそれぞれ連設されている。
第４壁板（１４）の上端縁には、横方向の折り曲げ線を介して台座板（１４１）と差し込み片（１４２）がそれぞれ連設されている。
【００１９】
第２壁板（１２）と第３壁板（１３）、及び第５壁板（１５）と第６壁板（１６）の境界の上端縁には、それぞれ差し込み片（１１２、１４２）を差し込むための壁板スリット（ａ、ａ）が設けられている。
【００２０】
差し込み片（１１２、１４２）の先端縁中央には、壁板の上縁を差し込むための差し込み片スリット（ｂ、ｂ）が設けられている。
【００２１】
また、各台座板（１１１、１４１）の差し込み片寄り近傍に、手提げ孔（１１３、１４３）を穿設させても良い。手提げ孔を設けることにより、簡易椅子を折り畳んで携帯する際など、移動させるのに有利となる。
【００２２】
このような構成からなるブランクシートから簡易椅子を組み立てる手順を図２に基づいて説明する。
【００２３】
まず、第１壁板（１１）と第２壁板（１２）の境界の折り曲げ線及び第４壁板（１４）と第５壁板（１５）の境界の折り曲げ線をそれぞれ折り曲げて、糊代片（１７）の外面を第１壁板（１１）の裏面に接着剤等を介して接着させる。
【００２４】
二つ折りされたブランクシートを重ね合わせたまま二つの台座板（１１１、１４１）の内面が向き合うように折り曲げ線に沿ってＮ字状に折り畳む（図２（ａ）参照）。
【００２５】
折り畳んだブランクシートを起こして（図２（ｂ）参照）、第２壁板（１２）と第３壁板（１３）の境界の折り曲げ線と、第５壁板（１５）と第６壁板（１６）の境界の折り曲げ線とを接触させることにより生じる第１壁板（１１）と第２壁板（１２）と第６壁板（１６）とからなる三角柱筒と、第４壁板（１４）と第５壁板（１５）と第３壁板（１３）とからなる三角柱筒との二つの三角柱筒の上面に、横方向の折り曲げ線に沿って折り曲げた台座板を被せるとともに、台座板に連設された差し込み片（１１２、１４２）に設けられた差し込み片スリット（ｂ、ｂ）を、壁板スリット（ａ、ａ）にそれぞれ差し込み係合させて、本発明の組立式簡易椅子が完成する（図２（ｃ）、（ｄ）参照）。
【００２６】
完成した携帯用の簡易椅子は、差し込み片（１１２、１４２）を壁板スリット（ａ）から抜き取り、台座板（１１１、１４１）を持ち上げる。同時に、第２壁板（１２）の裏面を第１壁板（１１）の裏面の重ねると、第５壁板（１５）の裏面は第４壁板（１４）の裏面に重なり、組み立てられていた簡易椅子は簡単に折り畳むことができる。
【図面の簡単な説明】
【００２７】
【図１】本発明の組立式簡易椅子を組み立てる前のブランクシートの一実施例を示す、展開説明図である。
【図２】（ａ）〜（ｄ）は本発明の組立式簡易椅子の組み立ての手順の一実施例を示す、説明図である。
【符号の説明】
【００２８】
１０‥‥ブランクシート
１１‥‥第１壁板
１２‥‥第２壁板
１３‥‥第３壁板
１４‥‥第４壁板
１５‥‥第５壁板
１６‥‥第６壁板
１７‥‥糊代片
１１１‥‥台座板
１１２‥‥差し込み片
１１３‥‥手提げ孔
１４１‥‥台座板
１４２‥‥差し込み片
１４３‥‥手提げ孔
ａ‥‥壁板スリット
ｂ‥‥差し込み片スリット
【図１】
2006198289.tif 000003
【図２】
2006198289.tif 000004